(57)【要約】【課題】装置の大型化やコスト増加を抑制または回避しつつ、搬送部から送られる媒体のプラテン上における浮き上がりを低減するとともに、媒体の記録領域の広い記録装置を提供する。【解決手段】媒体Ｓに記録を行う記録ヘッド１７と、媒体Ｓを記録ヘッド１７に向けて搬送する媒体搬送部２３と、記録ヘッド１７と対向する側において媒体Ｓを支持する支持部３１、３２、３３を有する支持部材１８とを備え、支持部３３より低い位置および、記録ヘッド１７による記録領域３６より媒体搬送方向下流側に、媒体Ｓの先端の浮きを防止するための第１媒体経路５１を備えていることを特徴とする記録装置１。【選択図】図３
2016132208.tif 000002
【特許請求の範囲】
【請求項１】
媒体に記録を行う記録ヘッドと、
前記媒体を前記記録ヘッドに向けて搬送する媒体搬送部と、
前記記録ヘッドと対向する側において前記媒体を支持する支持部を有する支持部材と、を備え、
前記支持部より低い位置および、前記記録ヘッドによる記録領域より媒体搬送方向下流側に、前記媒体の先端の浮きを防止するための第１媒体経路を備えていることを特徴とする、記録装置。
【請求項２】
請求項１に記載された記録装置において、
前記記録ヘッドの搬送方向下流側の前記支持部を避けた前記支持部材の一部には、前記記録された媒体を進入させる進入部が設けられ、前記進入部は、前記媒体を搬送する前記第１媒体経路の一部を形成することを特徴とする、記録装置。
【請求項３】
請求項１または請求項２に記載された記録装置において、
前記支持部材は、前記媒体を前記進入部に誘う第１誘い部を備えることを特徴とする、記録装置。
【請求項４】
請求項１から請求項３のいずれか一項に記載された記録装置において、
前記支持部材は、前記第１媒体経路よりも前記記録ヘッドに近い位置に、前記進入部に進入しない媒体が搬送される第２媒体経路を備えることを特徴とする、記録装置。
【請求項５】
請求項４に記載された記録装置において、
前記支持部を避けた前記支持部材の一部の、前記進入部の媒体搬送方向下流側に、前記第１媒体経路を搬送された前記媒体の送出部を備え、
前記第１媒体経路は、前記送出部の媒体搬送方向下流側において前記第２媒体経路と合流するように構成されていることを特徴とする、記録装置。
【請求項６】
請求項５に記載された記録装置において、
前記支持部材の媒体搬送方向下流側に、媒体を挟持して排出する排出ローラーを備え、
前記第１媒体経路は、前記媒体を前記送出部及び前記排出ローラーに誘う第２誘い部を備えることを特徴とする、記録装置。
【請求項７】
請求項４に記載された記録装置において、
前記支持部材の媒体搬送方向下流側に、媒体を挟持して排出する排出ローラーを備え、
前記第２媒体経路を搬送された媒体は、前記排出ローラーによって排出され、
前記第１媒体経路を搬送された媒体は、前記排出ローラーによらず、該排出ローラーとは別の第１排出部から排出される構成であることを特徴とする、記録装置。
【請求項８】
請求項７に記載された記録装置において、
前記排出ローラーと前記第１排出部との間に仕切り部材を備えることを特徴とする、記録装置。
【請求項９】
請求項７に記載された記録装置において、
前記第１排出部から排出される媒体は、前記排出ローラーから離れる方向に排出されることを特徴とする、記録装置。
【請求項１０】
請求項２から請求項９のいずれか一項に記載された記録装置において、
前記第１媒体経路を搬送される媒体はロール状媒体であり、前記進入部の幅方向の大きさは、前記ロール状媒体の幅方向の大きさに対応して形成されていることを特徴とする、記録装置。
【請求項１１】
請求項１から請求項１０のいずれか一項に記載された記録装置において、
ロール状媒体の浮きを防止する第１浮き防止部と、前記ロール状媒体以外の浮きを防止する第２浮き防止部が形成されていることを特徴とする記録装置。
【発明の詳細な説明】
【技術分野】
【０００１】
本発明は、記録装置に関するものである。
【背景技術】
【０００２】
インクジェットプリンターに代表される記録装置では、媒体としての用紙に記録を行う記録ヘッドと、その下方において前記用紙を支持するプラテンとの間に、例えば搬送駆動ローラーと搬送従動ローラーとを有する媒体搬送部によって用紙が搬送されるように構成されている。そしてプラテン上において記録が行われた後、記録後の用紙はプラテンの下流側に設けられる媒体排出手段によって排出される。媒体排出手段としては、例えば、排出駆動ローラーと排出従動ローラーとを有する排出手段が用いられる。
【０００３】
ところで、搬送される用紙において、その先端が下側（プラテン側）に向くようなカールがある場合、図１０に示すように、前記カールにより用紙Ｓがプラテン１０７上において盛り上がるように浮き上がる場合がある。カールした用紙Ｓは、搬送駆動ローラー１０１と搬送従動ローラー１０２によって下流側に搬送されるにしたがって、符号ｅ、ｆ、ｇの点線で示すように浮き上がりの頂点位置が高くなる。  
この用紙Ｓの浮き上がりによって、記録ヘッド５４の下面に用紙Ｓが接触して記録面が汚れる虞がある。特に用紙Ｓが、長尺の用紙がロール芯の周りにロール状に巻かれた、所謂ロール紙Ｒである場合には、巻癖によるカールが強く、前記用紙の浮き上がりが大きくなり易い。
【０００４】
したがって従来は、ロール紙のようにカールが強い用紙Ｓに対しては、排出駆動ローラー１０４と排出従動ローラー１０５に用紙Ｓが挟時されてその浮き上がりが抑えられた状態になってから記録を行うようにされていた。この場合、カールが強い用紙に対する記録では、先端部の余白が多くなっていた。
【０００５】
一方、特許文献１には、搬送されるロール紙の先端のカール量を取得する紙残量センサー３５を備え、前記ロール紙の先端のカール量に応じて、用紙Ｐ（ロール紙）の記録開始時における用紙Ｐの先端部の記録領域からの下流側への突出量を変えるように前記ロール紙の搬送を制御する制御部を備えた記録装置が開示されている。  
特許文献１に記載の記録装置においては、前記用紙Ｐの先端部の記録領域からの下流側への突出量を、前記ロール紙の先端のカール量に応じて、前記用紙Ｐが前記記録領域で浮き上がらない最低限に設定することが可能となり、無駄に搬送される記録媒体の量を低減するとともに前記記録領域における用紙Ｐの浮き上がりを抑制している。
【先行技術文献】
【特許文献】
【０００６】
【特許文献１】特開２０１３−１０６１号公報
【発明の概要】
【発明が解決しようとする課題】
【０００７】
ここで特許文献１の構成では、搬送されるロール紙の先端のカール量が大きいほど、前記用紙Ｐの先端部の記録領域からの下流側への突出量が多くなる。すなわち、前記カール量が大きいほど前記用紙Ｐの先端部の余白が多くなる構成である。  
また、搬送されるロール紙の先端のカール量を取得するためのセンサー等を要するため、装置の大型化およびコストアップの問題がある。
【０００８】
本発明の目的は、搬送部から送られる媒体のプラテン上における浮き上がりを低減するとともに、媒体の記録領域の広い記録装置を提供することにある。
【課題を解決するための手段】
【０００９】
上記課題を解決するため、本発明の第１の態様に係る記録装置は、媒体に記録を行う記録ヘッドと、前記媒体を前記記録ヘッドに向けて搬送する媒体搬送部と、前記記録ヘッドと対向する側において前記媒体を支持する支持部を有する支持部材と、を備え、前記支持部より低い位置および、前記記録ヘッドによる記録領域より媒体搬送方向下流側に、前記媒体の先端の浮きを防止するための第１媒体経路を備えていることを特徴とするものである。
【００１０】
本明細書において、前記記録装置において前記媒体が搬送されていく方向を「下流」といい、これと反対の方向を「上流」というものとする。  
本態様によれば、前記支持部より低い位置および、前記記録ヘッドによる記録領域より媒体搬送方向下流側に設けられる前記第１媒体経路によって、前記媒体の先端の浮きの上がりを抑制することができる。
【００１１】
加えて、前記支持部材の下流側に設けられる排出ローラー等の排出部に前記媒体の先端が到達する前に前記媒体に記録を行うことが可能となる。以って、媒体に対する記録領域の広い記録装置とすることができる。
【００１２】
また、前記媒体として、ロール状媒体のような巻癖のある媒体を用いると、その先端が前記支持部材側に向くようにカールしている場合がある。  
本態様において、前記第１媒体経路が前記支持部より低い位置にあるので、搬送される媒体の先端が前記支持部材側に向くようなカールがある場合に、そのカールを利用して前記第１媒体経路に進入させることができる。また、カール自体の矯正をすることもできる。
【００１３】
本発明の第２の態様に係る記録装置は、第１の態様において、前記記録ヘッドの搬送方向下流側の前記支持部を避けた前記支持部材の一部には、前記記録された媒体を進入させる進入部が設けられ、前記進入部は、前記媒体を搬送する前記第１媒体経路の一部を形成することを特徴とするものである。
【００１４】
本態様によれば、前記支持部に支持されて搬送される前記媒体を、前記第１媒体経路に進入させる構成を容易に実現することができる。
【００１５】
本発明の第３の態様に係る記録装置は、第１の態様または第２の態様において、前記支持部材は、前記媒体を前記進入部に誘う第１誘い部を備えることを特徴とするものである。
【００１６】
本態様によれば、前記第１誘い部により前記媒体を前記進入部に進入し易くすることができる。
【００１７】
本発明の第４の態様に係る記録装置は、第１の態様から第３の態様のいずれか一つにおいて、前記支持部材は、前記第１媒体経路よりも前記記録ヘッドに近い位置に、前記進入部に進入しない媒体が搬送される第２媒体経路を備えることを特徴とすることを特徴とするものである。
【００１８】
言い換えると、前記支持部材の前記記録ヘッドによる記録領域より媒体搬送方向下流側に設けられる二つの媒体経路のうち、媒体の先端が進入部から進入して送られる第１媒体経路が前記記録ヘッドからより離れた位置に設けられ、前記進入部に進入しない媒体が搬送される第２媒体経路が前記記録ヘッドに近い位置に設けられている。
【００１９】
本態様によれば、例えば、先端に前記支持部材側（記録ヘッドから離れる方向）に向く巻癖（カール）がある媒体は、そのカールを利用して、前記支持部より低い位置、且つ、前記記録ヘッドからより離れた位置にある第１媒体経路に連なる前記進入部に進入させ、先端に前記カールのない媒体は、前記第１媒体経路に入る進入部に進入させずに前記第１媒体経路よりも前記記録ヘッドに近い位置に設けられる第２媒体経路を通る構成とすることが可能となる。  
このことにより、先端に前記カールがある媒体に対し、支持部材上における浮き上がりを効果的に低減することができる。
【００２０】
本発明の第５の態様に係る記録装置は、第４の態様において、前記支持部を避けた前記支持部材の一部の、前記進入部の媒体搬送方向下流側に、前記第１媒体経路を搬送された前記媒体の送出部を備え、前記第１媒体経路は、前記送出部の媒体搬送方向下流側において前記第２媒体経路と合流するように構成されていることを特徴とするものである。
【００２１】
本態様によれば、前記第１媒体経路を搬送された媒体と、前記第２媒体経路を搬送された媒体とを、共通の排出部によって排出させることができる。
【００２２】
本発明の第６の態様に係る記録装置は、第５の態様において、前記支持部材の媒体搬送方向下流側に、媒体を挟持して排出する排出ローラーを備え、前記第１媒体経路は、前記媒体を前記送出部及び前記排出ローラーに誘う第２誘い部を備えることを特徴とするものである。
【００２３】
本態様によれば、前記第１媒体経路を搬送された媒体を前記送出部からスムースに送り出すことができる。
【００２４】
本発明の第７の態様に係る記録装置は、第４の態様において、前記支持部材の媒体搬送方向下流側に、媒体を挟持して排出する排出ローラーを備え、前記第２媒体経路を搬送された媒体は、前記排出ローラーによって排出され、前記第１媒体経路を搬送された媒体は、前記排出ローラーによらず、該排出ローラーとは別の第１排出部から排出される構成であることを特徴とするものである。
【００２５】
本態様によれば、前記第１媒体経路を搬送された媒体用の第１排出部と、前記第２媒体経路を搬送された媒体の排出部としての排出ローラーを別個に設けるので、各媒体経路から排出部に至るまでの構成を単純化することができる。  
また、前記第１媒体経路を搬送される媒体は、排出ローラーに挟持させることなく排出するので、記録面が前記排出ローラーに挟持されることによる画質低下の虞を回避することができる。
【００２６】
本発明の第８の態様に係る記録装置は、第７の態様において、前記排出ローラーと前記第１排出部との間に仕切り部材を備えることを特徴とするものである。
【００２７】
本態様によれば、前記仕切り部材によって、前記第１排出部から排出される媒体の前記排出ローラーへの接触を抑制または回避することができる。
【００２８】
本発明の第９の態様に係る記録装置は、第７の態様において、前記第１排出部から排出される媒体は、前記排出ローラーから離れる方向に排出されることを特徴とするものである。
【００２９】
本態様によれば、前記排出経路を搬送される媒体の前記排出ローラーへの接触を抑制または回避することができる。
【００３０】
本発明の第１０の態様に係る記録装置は、第２の態様から第９の態様のいずれか一つにおいて、前記第１媒体経路を搬送される媒体はロール状媒体であり、前記進入部の幅方向の大きさは、前記ロール状媒体の幅方向の大きさに対応して形成されていることを特徴とするものである。
【００３１】
本発明の第１１の態様に係る記録装置は、第１の態様から第１０の態様のいずれか一つにおいて、ロール状媒体の浮きを防止する第１浮き防止部と、前記ロール状媒体以外の浮きを防止する第２浮き防止部が形成されていることを特徴とするものである。
【００３２】
本態様によれば、前記記録装置において搬送される媒体の浮きを、より確実に抑制または回避することができる。
【図面の簡単な説明】
【００３３】
【図１】（Ａ）は、本発明の一実施例に係る記録装置の外観を表す斜視図であり、（Ｂ）は、上面カバーが開いた状態の記録装置を背面側から見た斜視図。
【図２】本発明の一実施例に係る記録装置の側断面図。
【図３】本発明の一実施例に係る記録装置の要部側断面図。
【図４】本発明の一実施例に係る記録装置における支持部材を表す斜視図。
【図５】図４に示す支持部材を別角度から見た斜視図。
【図６】図３の要部拡大図。
【図７】本発明の他の実施例に係る記録装置の要部側断面図。
【図８】本発明の他の実施例に係る記録装置における支持部材を表す斜視図。
【図９】本発明の更に他の実施例に係る記録装置の要部側断面図。
【図１０】従来の記録装置の要部側断面図。
【発明を実施するための形態】
【００３４】
以下において、本発明の一実施形態に係る記録装置について、添付図面を参照して説明する。尚、本発明はこれらによって制約されるものではない。
【００３５】
［実施例１］
まず、本発明の一実施例に係る記録装置の概略について説明する。本実施例の記録装置の一例として、インクジェット式プリンターを例に挙げる。  
図１は、（Ａ）は、本発明の一実施例に係る記録装置の外観を表す斜視図であり、（Ｂ）は、上面カバーが開いた状態の記録装置を背面側から見た斜視図である。図２は、本発明の一実施例に係る記録装置の側断面図である。図３は、本発明の一実施例に係る記録装置の要部側断面図である。図４は、本発明の一実施例に係る記録装置における支持部材を表す斜視図である。図５は、図４に示す支持部材を別角度から見た斜視図である。図６は、図３の要部拡大図である。
【００３６】
＜プリンター及び搬送経路の概要＞
本発明に係る記録装置としてのインクジェットプリンター１（以下、プリンター１と称する）は、図１（Ａ）および図１（Ｂ）に示すように、プリンター１の本体２、本体２の上面部６を開閉する上面カバー３、および本体２の図１（Ａ）における前面（＋Ｙ方向側の側面）側に開閉する排紙カバー４によって、その外観が構成されている。  
なお、各図において示すＸ−Ｙ−Ｚ座標系はＸ方向が記録ヘッドの走査方向、Ｙ方向が装置奥行き方向である。Ｚ方向は重力方向であり、装置高さ方向を示している。また、＋Ｙ方向側を装置前面側とし、−Ｙ方向側を装置背面側とする。また、装置前面側から見て右側を＋Ｘ方向、左側を−Ｘ方向とする。また、＋Ｚ方向を装置上方（上部、上面等を含む）とし、−Ｚ方向側を装置下方（下部、下面等を含む）とする。
【００３７】
上面部６には、プリンター１において、媒体としての単票紙Ｐを挿入する媒体セット部７が設けられている（図２を参照）。上面カバー３は、媒体セット部７を含む上面部６を開閉するカバーであり、開状態において媒体セット部７にセットされる単票紙Ｐを支持面１２で支持するように構成されている。
【００３８】
実施例１に係るプリンター１は、図２に示すように、媒体としての単票紙Ｐに対して記録を行う他、ロール紙Ｒに対しても記録を行うように構成されており、プリンター１の本体２の背面側、すなわち、媒体セット部７の媒体搬送方向上流側（−Ｙ側）に着脱自在に取り付けられるロール紙ユニット５から、媒体セット部７にロール紙Ｒを送り、ロール紙Ｒへの記録を行うことができる。
【００３９】
ロール紙ユニット５内にはロール軸に巻かれたロール紙Ｒが納められている。ロール紙ユニット５から送り出されるロール紙Ｒの先端は、上部カバー３の下流側端部側に設けられたロール紙挿入口１０に、上部カバー３の支持面１２（図２を参照）の背面９側から挿入される。そして、ロール紙Ｒの先端は、上部カバー３と本体２との間を通る形で支持面１２側に出されて、ホッパー１３にセットされるように構成されている。
【００４０】
次に、図２を用いてプリンター１の内部構造の概略を説明する。尚、図２には単票紙Ｐとロール紙Ｒの搬送経路が示してある。ロール紙Ｒの搬送経路と単票紙Ｐの搬送経路は、例えば符号２５の合流位置において合流するように構成されている。  
プリンター１において、媒体としての単票紙Ｐ、ロール紙Ｒは、図２の＋Ｙ方向へ搬送される構成である。尚、以下において、プリンター１において媒体が搬送されていく方向（＋Ｙ方向側）を「下流」といい、これと反対の方向（−Ｙ方向側）を「上流」という。
【００４１】
本体２の内部には、単票紙Ｐ、ロール紙Ｒ等の媒体に、記録を行うための液体としてのインクを吐出して記録を行う記録ヘッド１７を備えたキャリッジ１６が、媒体搬送方向（＋Ｙ方向）と交差する方向（Ｘ軸方向）に往復動するように設けられている。記録ヘッド１７の底面には、図３に示す記録領域３６に対応する位置に、インクを吐出する複数のノズル（不図示）からなるノズル列が設けられており、キャリッジ１６に搭載される液体収納体２０からノズルを介してインクが供給される。
【００４２】
単票紙Ｐまたはロール紙Ｒ（以下、用紙Ｓと総称する場合がある）は、給紙ローラー１４により搬送方向下流に向けて給送される。  
更に、搬送方向上流側から送られる用紙Ｓは、搬送駆動ローラー２１と搬送従動ローラー２２を備えた媒体搬送部２３によって挟圧された状態で、記録ヘッド１７の下方（−Ｚ方向側）の記録領域に搬送される。  
記録ヘッド１７と対向する側（図２における下方側）には、記録ヘッド１７の液体吐出面と用紙Ｓとの間の用紙ギャップを規定する支持部材１８が設けられている。記録ヘッド１７と支持部材１８との間において、用紙Ｓに記録ヘッド１７から液体（インク）を吐出することによって記録が実行される。
【００４３】
記録ヘッド１７の搬送方向下流側には、排出駆動ローラー２６と排出従動ローラー２７とを備える排出ローラー２８が設けられている。  
また、記録ヘッド１７と排出ローラー２８の間には、第２浮き防止部としての回転体２９を設けることができる。回転体２９は、記録ヘッド１７から排出ローラー２８へ至る用紙Ｓの搬送経路上に、用紙Ｓの記録面と接して従動回転するよう設けられることで、用紙Ｓの支持部材１８からの浮き上がりを防止して用紙Ｓと記録ヘッド１７との距離を一定に保つ機能を果たす。  
支持部材１８上を搬送された記録後の用紙Ｓは、排出ローラー２８によって下流側に送られて媒体排出口１９から排出され、開状態の排紙カバー４上に載置されるように構成されている。尚、支持部材１８の詳細な構成と支持部材１８上を搬送される用紙Ｓの搬送経路については、ロール紙Ｒの場合と単票紙Ｐの場合とに分けて後に説明する。
【００４４】
また、本体２の上面部６には、メニューやエラー等の各種情報を表示する液晶ディスプレイ８（図２）の他、操作ボタン類を配置した操作パネル（不図示）が設けられている。  
また、開いた状態で支持面１２に単票紙Ｐを支持する上面カバー３は、その支持面１２がホッパー１３の載置面１５の傾斜に沿うように構成されている。
【００４５】
次に、支持部材１８とその周辺の構成要素について図３〜図６を参照して説明する。支持部材１８には、媒体幅方向、すなわち媒体搬送方向と交差する方向（Ｘ軸方向）に間隔をあけて複数のリブ３１が設けられている。更に、それぞれのリブ３１の下流側には、リブ３２が搬送方向（＋Ｙ方向）沿って設けられている。記録ヘッド１７による記録領域３６（図３、図６を参照）に用紙Ｓの先端があるときには、用紙Ｓは、支持部としてのリブ３１、リブ３２によってその下方側から支持されている。
【００４６】
また、リブ３１とリブ３２の間には、リブ３１とリブ３２とを分断する分断部３４がＸ軸方向に延設されており、リブ３２と後述するリブ３３との間には同様に両リブを分断する分断部３５がＸ軸方向に延設されている。  
分断部３４と分断部３５は、それぞれ用紙Ｓの先端或いは後端から外れた部分に吐出されるインクを打ち捨てるためのものである。例えば、用紙Ｓの先端を分断部３４または分断部３５の上部に配置した状態でインクを吐出する。これにより、用紙Ｓ先端に縁無し記録が実行されるとともに、分断部３４または分断部３５に用紙Ｓ先端から外れたインクが打ち捨てられる。同様に、用紙Ｓの下端に対しても縁無し記録を実行することができる。
【００４７】
リブ３２の下流側には支持部としてのリブ３３が設けられているとともに、記録ヘッド１７の搬送方向下流側のリブ３３を避けた支持部材１８の一部には、進入部３７が形成されている。より具体的には、媒体搬送方向（Ｙ軸方向）におけるリブ３３の上流側端部の位置のやや上流側であって、媒体幅方向（Ｘ軸方向）における領域５０（図４）に、進入部３７が形成されている。  
本実施例において進入部３７は、図４に示すように、媒体幅方向に長い四角形状であり、底辺部をなす支持部材１８の本体と、側辺部をなす二つのリブ３３ａおよびリブ３３ｂと、上辺部をなすとともにリブ３３ａ、リブ３３ｂの間に渡される上部材３８によって構成される開口形状をしている。上部材３８の上面は、リブ３３ａ、リブ３３ｂと同じ高さになっている。
【００４８】
進入部３７は、図３および図６に示すように記録ヘッド１７による記録領域３６よりも下流側に設けられており、その下流側には進入部３７から進入した用紙Ｓが送られる経路［後に説明する第１媒体経路５１（図６における太い二点鎖線の部分）］が設けられている。進入部３７は、第１媒体経路５１の一部を形成している。  
尚、本実施例において、領域５０はロール紙Ｒが搬送される領域に対応しており、進入部３７にはロール紙Ｒと、ロール紙Ｒよりも幅狭の用紙Ｓが進入可能である。
【００４９】
リブ３３はリブ３２とほぼ同じ高さに形成されており、第１媒体経路５１は、リブ３２の媒体支持面よりも低い位置（下方側）に設けられている。言い換えると、第１媒体経路５１は、支持部材１８における第１媒体経路５１より上流側の媒体搬送位置よりも記録ヘッド１７から離れた位置に設けられている。  
このことによって、ロール紙Ｒのように先端が支持部材１８側に向くようにカールしている用紙が進入部３７に入って第１媒体経路５１に搬送され易い構成となっている。
【００５０】
一方、先端がカールしていない用紙（例えば単票紙Ｐ）は進入部３７に進入しないで進入部３７の上側を通り、リブ３３（リブ３３ａ、リブ３３ｂを含む）と上部材３８に支持される経路［第２媒体経路５２（図６における太い実線の部分）］に送られる。  
第２媒体経路５２の高さは、その上流側における媒体搬送位置（Ｚ軸方向）とほぼ同じになっている。
【００５１】
更に、進入部３７の下流側には、第１媒体経路５１を搬送された用紙（ロール紙Ｒ）の送出部３９を備えており、第１媒体経路５１は送出部３９の下流側の位置Ａ（図６）において第２媒体経路５２と合流するように構成されている。  
第１媒体経路５１または第２媒体経路５２を搬送された用紙Ｓ（単票紙Ｐ、ロール紙Ｒ）は第１媒体経路５１と第２媒体経路５２が合流する位置Ａの下流側に設けられる排出ローラー２８によって排出される。
【００５２】
尚、本実施例の支持部材１８には、進入部３７の上流側に、ロール紙Ｒを進入部３７に誘う第１誘い部４０が設けられている。  
また、第１媒体経路５１は、第１媒体経路５１を搬送された用紙を送出部３９に誘う第２誘い部４２を備えている。  
第１誘い部４０と第２誘い部４２によって、第１媒体経路５１へのロール紙Ｒの進入と第１媒体経路５１からのロール紙Ｒの脱出が円滑に行われる。  
加えて、排出ローラー２８の上流側には、排出ローラー２８に用紙Ｓを誘う第３誘い部４１が設けられている。
【００５３】
支持部材１８が以上のように構成されたことにより得られる作用効果について、図１０に示す従来技術と対比しながら更に説明する。  
前述の背景技術において説明したように、図１０において、ロール紙Ｒのようにカールが強い用紙Ｓは、搬送駆動ローラー１０１と搬送従動ローラー１０２によって下流側に搬送されるにしたがって浮き上がりが次第に大きくなる。すなわち、用紙Ｓの浮き上がりの大きさは符号ｅ＜符号ｆ＜符号ｇとなる。尚、符号ｅ、ｆ、ｇはそれぞれ所定の搬送時点における用紙の姿勢（カール状態）を示している。  
特に、回転体１０６に用紙Ｓが接触する前の浮き上がりが最も大きくなり、符号ｆのように記録ヘッド５４の下面の位置を超える高さに浮き上がる場合には、用紙Ｓが記録ヘッド５４に接触して記録面を汚してしまう虞がある。
【００５４】
記録ヘッド５４の下流側であって支持部材としてのプラテン１０７の上方に設けられる回転体１０６に用紙Ｓが接触すると、回転体１０６によって用紙Ｓが押えられることにより用紙Ｓの浮き上がりは低減し（点線で示す符号ｇの状態）、更に用紙Ｓが搬送されて誘い部１０３に誘導され、排出駆動ローラー１０４と排出従動ローラー１０５に挟時されると、用紙Ｓの浮き上がりはほぼ抑えられる（実線で示す用紙Ｓの状態）。
【００５５】
記録ヘッド５４の下面位置を高くすれば用紙Ｓが接触する虞は低減するが、適切な記録品質を得るための用紙ギャップ（記録ヘッド５４と用紙との間隔）が設定できなくなるほか、装置の高さ方向への大型化を招く。  
したがって従来は、ロール紙Ｒのようにカールが強い用紙Ｓに対しては、排出駆動ローラー１０４と排出従動ローラー１０５に用紙Ｓが挟時されてその浮き上がりが抑えられた状態になってから記録を行っていた。このため、用紙Ｓの先端が記録ヘッド５４の下方にあるときに記録を行う縁無し記録は、カールが強い用紙に対しては行うことができなかった。
【００５６】
本実施例の支持部材１８では、図６に示すように、記録領域３６よりも上流側をロール紙Ｒが搬送されているとき（符号ａ）には、下流側に搬送されるにしたがって浮き上がりが大きくなるが、ロール紙Ｒの先端が進入部３７を通って第１媒体経路５１に進入すると（符号ｂから符号ｃへ）、上部材３８によってロール紙Ｒが押さえられる。すなわち、上部材３８は、ロール紙Ｒの浮きを防止する第１浮き防止部としての機能を果たす。これによりロール紙Ｒの浮き上がりの頂点を下げることができるので、記録ヘッド１７への接触を回避できる。
【００５７】
加えて、支持部材１８を搬送されている間にロール紙Ｒの浮き上がりを抑えることができるので、支持部材上１８の下流側に設けられる排出ローラー２８にロール紙Ｒの先端が到達する前に記録を行うことが可能となる。つまり、ロール紙Ｒの先端が記録ヘッド１７の下方にあるときに記録を開始することができる。このことにより、ロール紙Ｒに対する縁無し記録が実行可能となり、以ってロール紙Ｒに対する記録領域を広げることができる。  
尚、本実施例においては、プリンター１の制御部（図示せず）が、ロール紙Ｒに対して余白無く記録を行う縁無し記録モードを備え、ロール紙Ｒへの縁無し記録を実行可能に構成されている。
【００５８】
また、第１媒体経路５１の高さは、第１媒体経路５１より上流側の媒体搬送位置よりも下方に設けられているので、ロール紙Ｒのカールを利用してその先端を進入部３７に進入させて第１媒体経路５１にロール紙を送ることができる。  
したがって、機械的な構成を必要とせず、構成簡単にして低コストでロール紙Ｒの浮きの上がりを抑制することができるとともに、装置の大型化を回避または抑制することができる。
【００５９】
一方、第２媒体経路５２の高さは、第１媒体経路５１より上流側の媒体搬送位置とほぼ同じに設定されているので、先端がカールしていない用紙（単票紙Ｐ）は進入部３７に進入しないで進入部３７の上側を通り、第２媒体経路５２を搬送される。  
ここで、第１媒体経路５１を搬送されるロール紙Ｒは送出部３９から送り出されて位置Ａにおいて第２媒体経路５２と合流するように構成されている。このことにより、第１媒体経路５１を搬送された用紙Ｓ（ロール紙Ｒ）と、第２媒体経路５２を搬送された用紙Ｓ（単票紙Ｐ）とを、共通の排出ローラー２８によって排出することができる。
【００６０】
尚、本実施例において進入部３７は、所定の種類の用紙（ロール紙Ｒ）の搬送領域（図４における符号５０）に対してのみ設けられているが、プリンター１において使用可能な用紙Ｓの搬送領域全体に対して設けることも可能である
【００６１】
また、本実施例では、用紙Ｓが支持部材１８上を重力方向と交差する方向に搬送されるプリンターについて説明したが、本発明は、例えば重力方向に沿う方向に用紙が搬送されて記録が行われるプリンター、つまり、支持部材の支持面が重力方向に沿うように配設されるプリンターに対して適用することも可能である。
【００６２】
尚、リブ３１、リブ３２、リブ３３は、Ｘ軸方向にリブ高さの異なる２種類のリブを規則的に交互に設ける構成とすることが望ましい。このことにより、用紙Ｓに規則的な波打ち状態（コックリング）を形成し、記録品質の向上を図ることができる。  
進入部３７の上辺部をなす上部材３８の上面側に、第２媒体経路５２を搬送される用紙Ｓ（単票紙Ｐ）に前記コックリングを形成するためのリブとしての凹凸を設けてもよい。
【００６３】
「リブを規則的に交互に配設」とは、リブ高さの異なる２種類のリブ（高いリブと低いリブ）が一つずつ交互に設けられる場合に限られず、例えば、二つの高いリブと二つの低いリブが交互に設けられる場合、すなわちそれぞれのリブを二つおきに配設する場合や、一つの高いリブと二つの低いリブを交互に設ける場合等が含まれる。
【００６４】
［実施例２］
実施例２では、図７〜図９に基づき、本発明に係る記録装置の他の実施例について説明する。図７は、本発明の他の実施例に係る記録装置の要部側断面図である。図８は、本発明の他の実施例に係る記録装置における支持部材を表す斜視図である。図９は、本発明の更に他の実施例に係る記録装置の要部側断面図である。  
本実施例において実施例１と同一の構成については同一の符号を付し、その構成の説明は省略する。
【００６５】
前述の実施例１では、進入部３７の下流側に送出部３９を備え、第１媒体経路５１を第２媒体経路５２が送出部３９の下流側で合流させ、第１媒体経路５１を搬送されるロール紙Ｒと、第２媒体経路５２を搬送される用紙Ｓ（単票紙Ｐ）を、同じ排出部（排出ローラー２８）によって排出する構成について説明した。本実施例では、第１媒体経路５１を搬送されるロール紙Ｒと第２媒体経路５２を搬送される用紙Ｓとをそれぞれ別個の排出部によって排出する構成について説明する。
【００６６】
図７、図８に示すように、本実施例に係る支持部材４８にも、記録ヘッド１７による記録領域の下流側端部Ｂよりも下流側に進入部６７が設けられている。進入部６７は、媒体幅方向（Ｘ軸方向）において、ロール紙Ｒの幅に対応する領域６０（図８）に形成されている。  
更に、進入部６７に進入した用紙Ｓが送られる第１媒体経路６１としての下部材６４と、進入部６７に進入しない用紙Ｓが送られる第２媒体経路６２および第１浮き防止部としての上部材６５を備えている。
【００６７】
第１媒体経路６１（下部材６４）は、第１媒体経路６１より上流側の媒体搬送位置よりも低い位置（−Ｚ方向）に設けられており、ロール紙Ｒのように先端が支持部材４８側に向くようにカールしている用紙が進入部６７に入って第１媒体経路６１に搬送され易い構成となっている。
【００６８】
第２媒体経路６２は、その上流側における媒体搬送位置（Ｚ軸方向）とほぼ同じ高さで搬送されるように構成されている。尚、上部材６５には用紙Ｓを支持するリブ３３が設けられている。先端がカールしていない用紙Ｓ（例えば単票紙Ｐ）は進入部６７に進入しないで進入部６７の上側を通り、第２媒体経路６２を搬送される。
【００６９】
記録ヘッド１７の搬送方向下流側には、排出駆動ローラー２６と排出従動ローラー２７とを備える排出ローラー２８（図７）が設けられている。  
第２媒体経路６２を通った単票紙Ｐ等の用紙Ｓは、排出ローラー２８に挟持されるとともに、排出駆動ローラー２６の送り力により排出される。
【００７０】
一方、進入部６７に入って第１媒体経路６１を搬送された用紙Ｓ（ロール紙）は、排出ローラー２８によらず、排出ローラー２８の下方側に設けられる排出部６３から排出されるように構成されている。ロール紙Ｒは媒体搬送部２３の送り力によって送られて排出部６３から排出される。
【００７１】
本実施例においても、ロール紙Ｒの先端が進入部６７に進入し、上部材６５と下部材６４の間の第１媒体経路６１を搬送されることにより、上部材６５によってロール紙Ｒが押さえられ、ロール紙Ｒの浮き上がりの頂点を下げることができる。以って、記録ヘッド１７への接触を回避できる。
【００７２】
また、第１媒体経路６１を搬送されたロール紙Ｒ用の第１排出部６３と、第２媒体経路６２を搬送された用紙Ｓの排出部（排出ローラー２８）を別個に設けたことにより、各媒体経路から排出部に至るまでの構成を単純化することができる。  
第１媒体経路６１を搬送されたロール紙Ｒは、排出ローラー２８に挟持させることなく排出されるので、記録面が排出ローラー２８に挟持されることによる画質低下の虞を回避することができる。
【００７３】
また、排出ローラー２８の排出駆動ローラー２６の下方側には、排出駆動ローラー２６と第１排出部６３との間の仕切り部材としてのローラーカバー６６が設けられている。  
ローラーカバー６６により、第１排出部６３から排出されるロール紙Ｒが排出ローラー２８に接触するのを抑制または回避することができる。
【００７４】
加えて、第１媒体経路６１を構成する下部材６４の下流側には、図９に示すように、第１排出部６３から排出されるロール紙Ｒを下方側へ誘う第４誘い部６８を備えていることが望ましい。第４誘い部６８にガイドされて、第１排出部６３から排出されるロール紙Ｒが、排出ローラー２８から離れる方向に排出される。  
このことにより、ロール紙Ｒの記録面がローラーカバー６６に接触する虞を低減することができる。尚、ローラーカバー６６を省略することも可能である。
【００７５】
尚、本発明は上記実施例に限定されることなく、特許請求の範囲に記載した発明の範囲内で種々の変形が可能であり、それらも本発明の範囲内に含まれるものであることは言うまでもない。  
また、本発明の実施例では、２つの経路が存在するように記載されているが、ロール紙専用製品、すなわち、支持部材の下部を通す構成のみであってもよい。
【符号の説明】
【００７６】
１  プリンター（記録装置）、２  本体、３  上面カバー、４  排紙カバー、
５  ロール紙ユニット、６  上面部、７  媒体セット部、
８  液晶ディスプレイ、９  背面、１０  ロール紙挿入口、
１２  支持面、１３  ホッパー、１４  給紙ローラー、１５  載置面、
１６  キャリッジ、１７  記録ヘッド、１８  支持部材、１９  媒体排出口、
２０  液体収納体、２１  搬送駆動ローラー、２２  搬送従動ローラー、
２３  媒体搬送部、２６  排出駆動ローラー、２７  排出従動ローラー、
２８  排出ローラー、２９  回転体（第２浮き防止部）、
３１  リブ（支持部）、３２  リブ（支持部）、３３  リブ（支持部）、
３４  分断部、３５分断部、３６  記録領域、３７  進入部、
３８  上部材（第１浮き防止部）、３９  送出部、４０  第１誘い部、
４２  第２誘い部、５１  第１媒体経路、５２  第２媒体経路、
６１  第１媒体経路、６２  第２媒体経路、６３  第１排出部、
Ｐ  単票紙、Ｒ  ロール紙、Ｓ  用紙、
【図１】
2016132208.tif 000003
【図２】
2016132208.tif 000004
【図３】
2016132208.tif 000005
【図４】
2016132208.tif 000006
【図５】
2016132208.tif 000007
【図６】
2016132208.tif 000008
【図７】
2016132208.tif 000009
【図８】
2016132208.tif 000010
【図９】
2016132208.tif 000011
【図１０】
2016132208.tif 000012